(57)【要約】【課題】  不使用時にはまったく邪魔になることがなく、また物が引っ掛かったりすることもなく安全な状態で、防犯ブザー、定期入れ、給食袋、上靴袋などの小物を吊り下げておくことができ、しかも背負った場合に疲労しにくいランドセルを提供する。【解決手段】  上半部を背負部６とし、下半部を接続部７として、これら背負部６と接続部７の何れかの個所に、小物吊り下げ用の通し穴８を設けた一対の肩掛けベルト４を、ランドセル本体１の背面部２に取り付けたものとしている。そして、前記肩掛けベルト４の背負部６を、緩く湾曲させて、その外側部６ａを内側部６ｂより短く形成したものとしている。【選択図面】    図１【実用新案登録請求の範囲】
【請求項１】
上半部を背負部（６）とし、下半部を接続部（７）として、これら背負部（６）と接続部（７）の何れかの個所に、小物吊り下げ用の通し穴（８）を設けた一対の肩掛けベルト（４）を、ランドセル本体（１）の背面部（２）に取り付けたことを特徴とするランドセル。
【請求項２】
前記肩掛けベルト（４）の背負部（６）を、緩く湾曲させて、その外側部（６ａ）を内側部（６ｂ）より短く形成したことを特徴とする請求項１記載のランドセル。
【請求項３】
前記通し穴（８）を、肩掛けベルト（４）の背負部（６）と接続部（７）の間に設けたことを特徴とする請求項１または２記載のランドセル。
【請求項４】
前記通し穴（８）を、肩掛けベルト（４）の背負部（６）の下部に設けたことを特徴とする請求項１または２記載のランドセル。
【請求項５】
前記通し穴（８）を、肩掛けベルト（４）の接続部（７）の上部に設けたことを特徴とする請求項１または２記載のランドセル。
【請求項６】
前記通し穴（８）を、肩掛けベルト（４）に固着した鳩目金具（１０）の鳩目穴としたことを特徴とする請求項１から５の何れかに記載のランドセル。
【請求項７】
前記通し穴（８）を、クッション材（Ｃ）を間に挟んで表生地（４ａ）と裏生地（４ｂ）を重ね合わせ、接続部（７）において裏生地（４ｂ）を被うようにして補強生地（４ｃ）を重ね合わせた肩掛けベルト（４）に、これらクッション材（Ｃ）、表生地（４ａ）、裏生地（４ｂ）および補強生地（４ｃ）を貫通して固着した鳩目金具（１０）の鳩目穴としたことを特徴とする請求項５記載のランドセル。
【請求項８】
上半部を背負部（６）とし、下半部を接続部（７）とし、前記背負部（６）を緩く湾曲させて、その外側部（６ａ）を内側部（６ｂ）より短く形成し、前記背負部（６）と接続部（７）の間に、鳩目金具（１０）の鳩目穴とした小物吊り下げ用の通し穴（８）を設けた一対の肩掛けベルト（４）を、ランドセル本体（１）の背面部（２）に取り付けたことを特徴とするランドセル。
【考案の詳細な説明】
【技術分野】
【０００１】
この考案は、防犯ブザー、定期入れ、給食袋、上靴袋などの小物を吊り下げておくことができ、しかも背負った場合に疲労しにくいランドセルに関するものである。
【背景技術】
【０００２】
従来、上記したような小物をランドセルに取り付けるには、例えば図５に示したように、当板部１２と、弾性を有するフック部１３と、係止部１４とからなり、前記フック部１３にナス環１７に設けたリング状の取付部１８を遊嵌する取付空間１３ａを設けると共に当板部１２側に開口１３ｂを設け、さらに前記フック部１３と当板部１２との間にナス環１７の取付部１８の厚さよりも小さいすき間１９を設け、前記すき間１９にリング状の取付部１８を押し込んだときにはフック部１３が弾性変形して前記すき間１９を通すことができるようにしたナス環吊り止め具を使用していた（特許文献１）。
【０００３】
前記ナス環吊り止め具は、図６に示したように、ランドセル２１のマチベルト２２にリベット１６で固定して使用するものとしている。
【０００４】
このように構成したナス環吊り止め具は、ナス環１７が破損しても、ナス環１７を交換するのに特殊な工具を必要としないため、新しいものとの交換をだれでも容易に行うことができるという効果を奏するものとしている。
【特許文献１】実用新案登録第２５４６９４８号（第４頁、図１）
【考案の開示】
【考案が解決しようとする課題】
【０００５】
しかしながら、上記従来のナス環吊り止め具では、不使用時においてもランドセル２１のマチベルト２２に固定されているので、ナス環１７がぶらぶらして邪魔になったり、ナス環１７に物が引っ掛かったりして危険であるとい問題点を有していた。
【０００６】
なお、上記従来のナス環吊り止め具では、ナス環１７が破損しても、新しいものと交換することができるので、不使用時においてはナス環１７を取り外しておき、使用時のみナス環１７を取り付けておくこともできるが、この作業が面倒であったり、また取り外したナス環１７を不注意でなくしてしまうこともあり、取り扱い難いという問題点を有していた。
【０００７】
そこで、この考案は、上記従来の問題点を解決することをその課題としており、不使用時にはまったく邪魔になることがなく、また物が引っ掛かったりすることもなく安全な状態で、防犯ブザー、定期入れ、給食袋、上靴袋などの小物を吊り下げておくことができ、しかも背負った場合に疲労しにくいランドセルを提供することを目的としてなされたものである。
【課題を解決するための手段】
【０００８】
そのため、この考案のランドセルは、上半部を背負部６とし、下半部を接続部７として、これら背負部６と接続部７の何れかの個所に、小物吊り下げ用の通し穴８を設けた一対の肩掛けベルト４を、ランドセル本体１の背面部２に取り付けたものとしている。
【０００９】
そして、この考案のランドセルは、前記肩掛けベルト４の背負部６を、緩く湾曲させて、その外側部６ａを内側部６ｂより短く形成したものとしている。
【００１０】
さらに、この考案のランドセルは、前記通し穴８を、肩掛けベルト４の背負部６と接続部７の間に設けたものとしている。
【００１１】
また、この考案のランドセルは、前記通し穴８を、肩掛けベルト４の背負部６の下部に設けたものとしている。
【００１２】
さらに、この考案のランドセルは、前記通し穴８を、肩掛けベルト４の接続部７の上部に設けたものとしている。
【００１３】
また、この考案のランドセルは、前記通し穴８を、肩掛けベルト４に固着した鳩目金具１０の鳩目穴としている。
【００１４】
さらに、この考案のランドセルは、前記通し穴８を、クッション材Ｃを間に挟んで表生地４ａと裏生地４ｂを重ね合わせ、接続部７において裏生地４ｂを被うようにして補強生地４ｃを重ね合わせた肩掛けベルト４に、これらクッション材Ｃ、表生地４ａ、裏生地４ｂおよび補強生地４ｃを貫通して固着した鳩目金具１０の鳩目穴としている。
【考案の効果】
【００１５】
この考案のランドセルは、以上に述べたように構成されているので、不使用時にはまったく邪魔になることがなく、また物が引っ掛かったりすることもなく安全な状態で、防犯ブザー、定期入れ、給食袋、上靴袋などの小物を吊り下げておくことができ、しかも背負った場合に疲労しにくいものとなる。
【考案を実施するための最良の形態】
【００１６】
以下、この考案のランドセルを実施するための最良の形態を、図面に基づいて詳細に説明する。
【００１７】
この考案のランドセルは、図１に示したように、ランドセル本体１の背面部２の上部に被せ蓋３が取り付けられ、さらにこの背面部２の上部中央部に一対の肩掛けベルト４の上端部が取り付けられている。さらに、この肩掛けベルト４の下端部は下ひもベルト５に接続されている。
【００１８】
前記肩掛けベルト４は、図２、３に示したように、長尺の帯状体としており、その上半部を背負部６、下半部を接続部７とし、これら背負部６と接続部７の何れかの個所に、小物吊り下げ用の通し穴８を設けたものとしている。図示したものでは、前記通し穴８を肩掛けベルト４の背負部６と接続部７の間に設けたものとしているが、肩掛けベルト４の背負部６の下部に設けたものとしても、肩掛けベルト４の接続部７の上部に設けたものとしても、肩掛けベルト４のその他の個所に設けたものとしてもよい。そして、前記肩掛けベルト４の背負部６は、緩く湾曲させており、その外側部６ａを内側部６ｂより短く形成したものとしており、接続部７には、肩掛けベルト４の長さ調節のための複数の小穴９を設けたものとしている。
【００１９】
さらに、前記肩掛けベルト４は、図４に示したように、クッション材Ｃを間に挟んで表生地４ａと裏生地４ｂを重ね合わせ、接続部７においては裏生地４ｂを被うようにして補強生地４ｃを重ね合わせ、これらの両側縁部を縫着してこれらを一体とし、長尺の帯状体を形成している。
【００２０】
前記通し穴８は、同じく図４に示したように、接続部７の上部において、クッション材Ｃ、表生地４ａ、裏生地４ｂおよび補強生地４ｃを貫通して、肩掛けベルト４に固着した鳩目金具１０の鳩目穴としている。このようにすると、クッション材Ｃ、表生地４ａ、裏生地４ｂおよび補強生地４ｃは、これらの両側縁部が縫着されていると共に、この鳩目金具１０によっても固着されることになるので、肩掛けベルト４が丈夫なものに形成される。なお、前記通し穴８は、形状も大きさも任意なものとすることができる。すなわち、図示したものでは、通し穴８を鳩目金具１０の鳩目穴として、その形状を円形としているが、三角形や四角形、その他の多角形など、適宜の形状とすることができ、また図示したものでは、その円形とした通し穴８の内径を５ｍｍ程度としているが、これよりも大きくすることも、小さくすることもできる。
【００２１】
以上のように構成したこの考案のランドセルは、学童が背負う前に、防犯ブザー、定期入れ、給食袋、上靴袋などの小物（図示せず）に設けられた紐を、肩掛けベルト４に設けた通し穴８に通して結んでおけば、これらの小物を吊り下げておくことができる。そして、学童がランドセルを背負うと、肩掛けベルト４に設けた通し穴８は、学童の胸や脇の傍に位置することになるので、小物の吊り下げ状態を確認でき、安全な状態で使用することができる。この吊り下げた小物を肩掛けベルト４から外すには、通常は背負ったランドセルを下ろしてから行う。しかし、この考案のランドセルでは、ランドセルを背負った状態でも吊り下げた小物は手の届く範囲にあるので、ランドセルを背負ったままでもその小物を肩掛けベルト４から外すこともできる。
【００２２】
また、この考案のランドセルでは、吊り下げた小物を肩掛けベルト４に設けた通し穴８から外すと、その通し穴８は、突出していたり、ぶらぶらするものでもないので、邪魔になったり、また物が引っ掛かったりすることもなく、安全な状態で使用することができるものとなる。
【００２３】
さらに、この考案のランドセルでは、肩掛けベルト４の背負部６を、その外側部６ａを内側部６ｂより短く形成したものとしているので、学童がランドセルを背負うと、その背負部６は全幅が胸から脇に接触することになる。すなわち、学童の胸から脇によくフィットし、全幅をもってランドセルの重量を受けることができる。したがって、肩掛けベルト４に小物を吊り下げていても、ランドセルが肩からずれにくくなり、安定した状態でランドセル背負っておけるので、学童は疲労しにくいものなる。
【図面の簡単な説明】
【００２４】
【図１】この考案のランドセルの一実施形態を示す背面図である。
【図２】この考案のランドセルの肩掛けベルトを表面側から見た平面図である。
【図３】この考案のランドセルの肩掛けベルトを裏面側から見た平面図である。
【図４】図２中のＡ−Ａ線による肩掛けベルトの断面図である。
【図５】従来のランドセルのナス環吊り止め具の斜視図である。
【図６】従来のランドセルの一部省略側面図である。
【符号の説明】
【００２５】
１  ランドセル本体
２  背面部
４  肩掛けベルト
４ａ  表生地
４ｂ  裏生地
４ｃ  補強生地
６  背負部
６ａ  外側部
６ｂ  内側部
７  接続部
８  通し穴
１０  鳩目部材
Ｃ  クッション材
【図１】
0003104048.tif 000002
【図２】
0003104048.tif 000003
【図３】
0003104048.tif 000004
【図４】
0003104048.tif 000005
【図５】
0003104048.tif 000006
【図６】
0003104048.tif 000007